(57)【要約】      （修正有）【課題】フィルター方式の空気清浄機よりもコンパクトで、且つ脱臭および空気清浄の効果が改善された水洗式空気清浄機を提供する。【解決手段】水を蓄えるポット２１と、吸気側ダクト１５ｕと吐出側ダクト１５ｄが設けられた本体ケース１５と、ポット内において散水する電動の散水機構３３と、吸気側ダクトから空気を吸い込み、この空気をポット内部を経て吐出側ダクトから吐出させる電動のブロワファン３１と、散水機構とブロワファンを駆動する駆動装置２９とを備えている。【選択図】図１
2011019646.tif 000002
【特許請求の範囲】
【請求項１】
上部に開口を有し内部に水を蓄えることの可能なポットと、
吸気側ダクトと吐出側ダクトが設けられ、これら吸気側ダクトおよび吐出側ダクトが各々前記ポットの内部に連通するように、ポットの開口と係合可能な本体ケースと、
前記ポットに適量の水が入った状態で前記本体ケースと前記ポットが係合した場合に、前記ポット内の水を前記ポット内において散水可能な電動の散水機構と、
前記本体ケースと前記ポットが係合した状態で、前記吸気側ダクトから空気を吸い込み、この空気を前記ポット内部を経て前記吐出側ダクトから吐出させる電動のブロワファンと、
前記散水機構とブロワファンを駆動する駆動装置とからなることを特徴とする水洗式空気清浄機。
【請求項２】
前記ブロワファンが取り付けられた上軸と、前記散水機構が取り付けられた下軸とを備えた両軸モーターを更に有することを特徴とする請求項１に記載の水洗式空気清浄機。
【請求項３】
前記両軸モーターは、隈取りモーターであることを特徴とする請求項１に記載の水洗式空気清浄機。
【発明の詳細な説明】
【技術分野】
【０００１】
本発明は、空気清浄機に関するものであり、特に、室内空気を水により洗浄する水洗式空気清浄機に関する。
【背景技術】
【０００２】
近年、空気中に浮遊する塵や臭いを取り除く為の家庭用の電化製品として、空気清浄機がある。この空気清浄機としては、扇風機やエアコンと同じようにファンによって強制的に空気を吸い込んで、フィルターで濾過し、きれいになった空気を吹き出すという方式のものが主流となっている（特許文献１等）。
【０００３】
一方、この種の空気清浄機とは別の原理によるものとして、本件出願人が製造販売している「アロマグリーン」（製品名）のようなタイプのものがある（関連ＵＲＬ：http://www.aromagreen.jp/aromagreen.html）。このタイプの空気清浄機では、空気をポット内に引き込み、シャワー状の水で清浄・脱臭し、きれいになった空気を部屋に排気することにより空気の清浄を行う。この場合、水で空気を洗うという方式なので、フィルターの交換が不要でランニングコストが低く抑えられている。
【０００４】
しかしながら、従来のアロマグリーンタイプの空気清浄機（以後、水洗式空気清浄機と呼ぶ）では、フィルターを用いるフィルター方式の空気清浄機に比較して、その構造上の理由から空気の引き込み能力が低く、効果に疑問がもたれていた。そこで、本件発明者は、実験を行い、水洗式空気清浄機による脱臭および空気清浄の効果を測定してみた。その結果、フィルター方式の空気清浄機を越えないものの、脱臭および空気清浄について明確な効果が確認された。
【０００５】
一方で、水洗式空気清浄機はフィルターを用いず、構造もシンプルである為、使い勝手が良い小型のエコ製品となっている。更に、その他にも、フィルター方式の空気清浄機には無い多くの特徴を備えている。例えば、この水洗式空気清浄機は、動作中、内部で水が旋回すると共にミスト状の水の微粒子が攪拌されており、その様子を外側から楽しむことができる。これは空気の水洗浄の過程の目視でもあり、心理的に清浄感を与えるという効果もある。また、その構造から視覚的な面白さもあり、インテリアとしてのデザイン性を高めることも容易である。更に、芳香剤を用いれば、心身のリラックス効果も期待できるので、主流の空気清浄機とは異なる一定の需要に応えている。
【先行技術文献】
【特許文献】
【０００６】
【特許文献１】特開２００９−１４２７３７号公報
【発明の概要】
【発明が解決しようとする課題】
【０００７】
一般的に、空気清浄の効果の目安として、屋内の空気を引き込む風量の大きさがある。何故なら、風量が小さいと、屋内の空気の全体を処理する前に屋外から新たに粉塵などが入ってくるからである。
【０００８】
従来の水洗式空気清浄機では、その構造上、空気を引き込む風量は、フィルター方式の空気清浄機のそれに比較して、かなり小さいものとなっていた。すなわち、モーターの軸に取り付けられている攪拌ファンの回転により、飛散する水の攪拌と室内の空気の引き込みの双方を行っていたからである。
【０００９】
これに対して、フィルター方式の空気清浄機では、水の飛散や攪拌の必要はなく、空気の吸込みのみを効率的に行うようなファンが設けられていた。従って、水洗式空気清浄機では、フィルター方式の空気清浄機に比較して空気の吸込みの力が弱く、これが空気清浄の効果の差異として表れていた。
【００１０】
そこで、本発明の目的は、インテリアとしての特徴を生かしつつ、風量を大きくして、脱臭および空気清浄の効果を改善した空気清浄機を提供することである。
【課題を解決するための手段】
【００１１】
上記課題を解決するために、本発明の水洗式空気清浄機は、上部に開口を有し内部に水を蓄えることの可能なポットと、吸気側ダクトと吐出側ダクトが設けられ、これら吸気側ダクトおよび吐出側ダクトが各々前記ポットの内部に連通するように、ポットの開口と係合可能な本体ケースと、前記ポットに適量の水が入った状態で前記本体ケースと前記ポットが係合した場合に、前記ポット内の水を前記ポット内において散水可能な電動の散水機構と、
【００１２】
前記本体ケースと前記ポットが係合した状態で、前記吸気側ダクトから空気を吸い込み、この空気を前記ポット内部を経て前記吐出側ダクトから吐出させる電動のブロワファンと、前記散水機構とブロワファンを駆動する駆動装置とからなっている。
【００１３】
このような構成とすることにより、ポット内を通過する空気の風量が増大し、屋内の空気全体を効果的に処理することが可能となる。
【００１４】
また、好適な実施形態では、前記ブロワファンが取り付けられた上軸と、前記散水機構が取り付けられた下軸とを備えた両軸モーターを更に有することを特徴とする。
【００１５】
このような構成とすることにより、従来と同様に、たった一つのモーターによって、水の飛散や攪拌と空気の取り入れの双方を行う為、コストを低く抑えると共に、全体の形状を比較的小さくすることが可能となっている。特に、下軸で水の飛散や攪拌を行い、上軸で空気の取り入れを行うという構造は、自然の理に適っており、それがデザイン的にもシンプルな設計を可能としている。
【００１６】
更に、好適な実施形態では、前記両軸モーターは、隈取りモーターであることを特徴とする。このような構成とすることにより、複雑な回路を必要としない為、コストを低く抑えると共に、全体の形状を比較的小さくすることが可能となっている。
【００１７】
また、本発明の別の様相による水洗式空気清浄機は、少なくとも下部が透明で、内部に水を蓄えることの可能なポットと、前記ポットの上部と係合する本体ケースと、外部の空気をポット内部に引き込み、ポット内部の水に接触させ、ポット外部に排出する空気取入機構と、ポット内部の水を攪拌する攪拌機構と、前記ポットの底部が床から離れた状態で、前記ポットおよび前記本体ケースを前記床の上に支持する支持構造と、ポット内部の水を照明し、前記床にポット内部の水の動きを投影する照明装置とからなっている。
【００１８】
このような構成とすることにより、水洗式空気清浄機の動作に伴うポット内部の水の動きが、ポットの底面からの光として床に反映し、独特の美的効果が発揮される。従って、ポットの底面によって本体ケースが支持される従来の水洗式空気清浄機に比較して、イルミネーションの効果に優れ、インテリアとしてより魅力的なものとなる。
【発明の効果】
【００１９】
本発明に係わる水洗式空気清浄機によれば、インテリアとしての特徴を生かしつつ、風量を大きくして、脱臭および空気清浄の効果を改善するという効果を奏する。
【図面の簡単な説明】
【００２０】
【図１】図１は、本発明の実施例に係る水洗式空気清浄機を示す断面図である。
【図２】図２は、本発明の実施例に係る水洗式空気清浄機の外観を示す斜視図である。
【図３】図３は、本発明の実施例に係る水洗式空気清浄機の脚部を示す斜視図である。
【図４】図４は、本発明の実施例に係る水洗式空気清浄機のポットの外形を示す斜視図である。
【図５】図５は、本発明の実施例に係る水洗式空気清浄機の着脱自在のカバーを示す斜視図である。
【図６】図６は、本発明の実施例に係る水洗式空気清浄機の着脱自在のカバーの別の例を示す斜視図である。
【図７】図７は、本発明の実施例に係る水洗式空気清浄機の両軸モーターの下軸に取り付けられた散水撹拌ユニットを示す斜視図である。
【図８】図８は、本発明の実施例に係る水洗式空気清浄機の散水部品の別の例を示す斜視図である。
【図９】図９は、本発明の実施例に係る水洗式空気清浄機の散水部品の更に別の例を示す斜視図である。
【図１０】図１０は、本発明の実施例に係る水洗式空気清浄機の支持台脚部の別の例を示す斜視図である。
【図１１】図１１は、本発明の実施例に係る水洗式空気清浄機の電気系統を示す回路図である。
【発明を実施するための形態】
【００２１】
以下、添付図面を参照しながら本発明の実施形態による水洗式空気清浄機を説明する。
【００２２】
図１は、本発明の実施例に係る水洗式空気清浄機を示す断面図である。また、図２は、この水洗式空気清浄機の外観を示す斜視図である。
【００２３】
ここで、水洗式空気清浄機１は、脚部１３を備えた支持台１１と、箱状の本体ケース１５と、半球状のポット１７とを備えている。支持台１１の中央には、直径がポット１７よりも僅かに大きな円形の開口部１９が設けられ、ポット１７を収納可能となっている。
【００２４】
支持台１１の脚部１３は、図３に示されているように、スチールパイプを側面視でコの字状となるように折り曲げて作成される。そして、その高さは、支持台１１にポット１７を収容した状態で、ポット１７の下端が設置面よりも、一定距離、例えば１ｃｍ以上離れるように設計されている。
【００２５】
ポット１７は内部に水を溜める為の半球部２１と、半球部２１よりも小さな直径を持った円筒部２３と、これらを接続するショルダー部２５と、フランジ部２６を備え、これらは透明または半透明なガラスまたは樹脂をボール（鉢）状に成形して製造される。円筒部２３の直径は、半球部２１の直径よりもショルダー部２５の分だけ小さくなっている。これは後述のように、複数の発光ダイオード（ＬＥＤ）が配置されたＬＥＤリング２７により、ショルダー部２５を介して外側からポット１７の内部を照らす為に必要な構成でもある。
【００２６】
図４は、本発明の実施例に係る水洗式空気清浄機のポットの外形を示す斜視図である。ここで、ポット１７のフランジ部２６の外周の直径は、支持台１１の開口部１９の直径よりも若干大きくなっている。これは、ユーザーがフランジ部２６を持って、上方からポット１７を開口部１９に収納した際に、下に落ちない様にする為である。なお、この支持台１１の開口部１９には、互いに対向する位置に２つの切欠き１９ｆが設けられている。この切欠き１９ｆは、フランジ部２６を持ったユーザーの指と支持台１１との干渉させない為に設けられている。
【００２７】
ポット１７の一つの実施形態では、半球部２１の直径は１８０ｍｍ、フランジ部２６の外形の直径は１９５ｍｍ、円筒部２３の直径は１６５ｍｍ、支持台１１の開口部１９の直径は１８５ｍｍとなっている。また、円筒部２３の高さは１５ｍｍとなっている。
【００２８】
図１および図２に戻って、本体ケース１５の形状は、概ね上面が２２５ｍｍの正方形である直方体となっている。そして、その内部に、両軸モーター２９と、この両軸モーター２９の上軸２９ｕに取り付けられたブロワファン３１と、下軸２９ｄに取り付けられた散水撹拌ユニット３３と、両軸モーター２９への電力供給を制御する回路ボックス３５と、ユーザーが水洗式空気清浄機１の動作を切り換えるスイッチを備えたスイッチ回路基板３７と、ブロワファン３１の回転により本体ケース１５上部に設けられた吸気口１５ｕから導入された室内の空気を、ポット１９へ導く吸気側ダクト３９と、ポット１９内部で水との接触により洗浄された空気を、本体ケース１５側面に設けられた吸気口１５ｄを介して、室内へ吐出する吐出側ダクト４１とを備えている。
【００２９】
吸気口１５ｕには、フィルタ等の防塵装置を設けていない。従って、効率よく空気を吸い込むことができる。その反面、ホコリや汚染物質が、直接ブロワファン３１に付着するので、メンテナンスが容易に行えることが重要である。そこで、この水洗式空気清浄機では、吸気口１５ｕを、図５の様に着脱自在のカバー１６として実装している。ブロワファン３１が汚れてきた場合、ユーザーは、このカバー１６を取り外して水洗いし、ブロワファン３１やその周囲に付着した汚れを布などで拭き取ることで容易に手入れをすることができる。なお、カバー１６は、フック１６ｈによりワンタッチで着脱が可能となっているが、図６の様に、ネジ１６ｓにより、ねじ止めとしても良い。
【００３０】
また、カバー１６を取り外した後、ブロワファン３１を軸を止めているナットを外すことで、ブロワファン３１自体も上に引き抜いて取り外すこともできる。取り外したブロワファン３１は水洗いし、ブロワファン３１の納まっていた本体内部も吸気側ダクト３９近傍まで掃除を行うことができる。
【００３１】
両軸モーター２９は、隈取モーターであり、交流商用電源、すなわち電力会社が一般家庭等に供給している電源で駆動する。実際には、安全性の確保から、アダプタ（図では省略）を介してＡＣ１００Ｖの電力をＡＣ２４Ｖに降圧してから両軸モーター２９へ供給する。これにより、両軸モーター２９は、使用時に水の抵抗を受けて２０００〜２５００ｒｐｍの速度で回転する。無負荷では、両軸モーター２９は約３０００ｒｐｍで回転する。
【００３２】
また、回路ボックス３５は、ＬＥＤリング２７へも電力を供給する。回路ボックス３５の動作は、スイッチ回路基板３７に設けられ、本体ケース１５の側面に露出したスイッチ３７ａ、３７ｂによって制御される。すなわち、スイッチ３７ａによって、両軸モーター２９の回転が制御され、これとは独立にスイッチ３７ｂによって、ＬＥＤリング２７の点灯が制御される。
【００３３】
また、本体ケース１５の外側は、上部と側面がプラスチックまたはスチール製の筺体４３となっており、底部は樹脂製の仕切り板４５となっている。両軸モーター２９は、この仕切り板４５に、図では詳細が省略されている支持手段によって、しっかりと固定されている。また、散水撹拌ユニット３３を取り付けるべき両軸モーター２９の下軸２９ｄは、仕切り板４５の中央を貫通して、ポット１７側に延出している。更に、吸気側ダクト３９および吐出側ダクト４１を接続する為の開口部４９および５１が、両軸モーター２９を挟んで対向する位置に設けられている。なお、仕切り板４５には、両軸モーター２９の下軸２９ｄ近傍の位置に、複数の放熱用のスリット４７が設けられている。このスリット４７は、後述のように、散水撹拌ユニット３３へ上方から空気を送る為の通気口としても機能している。
【００３４】
仕切り板４５には、更に、上方に突出した係合部５３が設けられており、この係合部５３には下向きに開口した溝が形成されている。この溝にポット１７の円筒部２３を下から15ｍｍ程ほぼ隙間無く挿入することで、本体ケース１５とポット１７を一体的に固定することができる。本体ケース１５とポット１７を一体的に固定した状態で、本体ケース１５の散水撹拌ユニット３３の下端は、使用時において一定量の水の入ったポット１７の底近傍まで達する。
【００３５】
ポット１７内部の水が汚れてきた場合には、ユーザーはポット１７の水を交換する必要がある。それには、まず、本体ケース１５を上方に持ち上げることで取り外す。次に、指を開口部１９の切欠き１９ｆに差し入れ、フランジ部２６を持ち、水の入ったポット１７を持ち上げ、支持台１１から外して中の水を捨てる。空になったポット１７を洗って、新たに水道水を入れる。さらに、適量の空気洗浄液をポット１７の中の水に添加してから支持台１１に乗せる。そして、本体ケース１５を、その係合部５３をポット１７の円筒部２３に係合するようにして載置する。なお、芳香剤の入った空気洗浄液を用いれば、空気清浄の効果に加え、香りを楽しむことが出来るようになる。
【００３６】
図７は、両軸モーター２９の下軸２９ｄに取り付けられた散水撹拌ユニット３３を示す。この散水撹拌ユニット３３は、互いに接続した上側の撹拌部品３３ａと下側の散水部品３３ｂとからなっている。これらの撹拌部品３３ａと散水部品３３ｂは、樹脂成形で別々に製造され、はめ込み式で容易に分離したり一体化することができる。従って、ユーザーは、分離して掃除することが容易となっている。
【００３７】
下側の散水部品３３ｂは、内部が空洞の略逆円錐形状をしており、下端の丸くなった先端に吸水孔３３ｄが設けられている。また、散水部品３３ｂの上端は、撹拌部品３３ａの下面となだらかに連結するように拡がっており、撹拌部品３３ａの下面との間に４カ所の出水孔３３ｃが設けられている。ポット１７に適量の水が入った状態では、水面の上方に一定距離だけ離れて出水孔３３ｃが位置するようになっている。
【００３８】
使用時において両軸モーター２９が回転すると、略逆円錐形状の散水部品３３ｂの内部の水は、遠心力によって出水孔３３ｃから吐出する。これに伴い吸水孔３３ｄから新たに水が供給され、連続的な散水が行われる。なお、この明細書において、散水とは、水をシャワー状に散布することをいう。
【００３９】
散水の音が騒音に感じられる場合には、吸水孔３３ｄを別部材のストッパー（図では省略）で閉じることで、動作中でも散水を停止することができる。ただし、この場合、水はシャワー状とならない為、空気清浄の効果は減少する。
【００４０】
散水を行わない場合には、騒音が少なくなるが空気清浄の効果は減少するので、それを補う為に、図に示したスクリュータイプフィンを用いても良い。このスクリュータイプフィンでは、図８の散水部品３３ｂから出水孔３３ｃと吸水孔３３ｄを無くし、代わりに外周に螺旋状のリッジ３３ｒを設けている。このリッジ３３ｒにより、スクリュータイプフィンが回転すると、ポット１７内の水を攪拌され、大きなうねりが生じ、空気との接触面積が増大し、結果として空気清浄の効果の改善に寄与する。
【００４１】
図９は、本発明の実施例に係る水洗式空気清浄機の散水部品の更に別の例を示す斜視図である。この散水部品には、出水孔３３ｃと吸水孔３３ｄが設けられており、更に内側に螺旋状のリッジ３３ｓを設けている。このリッジ３３ｒにより、スクリュータイプフィンの回転数が小さくとも、ポット１７内の水を効果的に吸い上げて、散水を行うことができる。なお、このリッジ３３ｒの代わりに、切り込み（溝）を設けても同様の効果がある。
【００４２】
一方、散水撹拌ユニット３３の上部の撹拌部品３３ａには、複数のフィン３３ｆが放射状に設けられている。使用時において両軸モーター２９が回転すると、このフィン３３ｆが中心から外側に向かう渦巻き状の気流を生成する。回転方向は上から見て左方向であり、この方向に向かってフィン３３ｆの先端が曲げられている。
【００４３】
両軸モーター２９の上軸２９ｕに取り付けられたブロワファン３１は、シロッコファンであり、使用時において両軸モーター２９が回転すると、上方の吸気口１５ｕから取り入れた屋内の空気を、吸気側ダクト３９を経てポット１７内部へ導く。そして、ミスト状の水と混合し洗浄してから、吐出側ダクト４１を経て屋内へ戻す。
【００４４】
また、仕切り板４５の係合部５３の外側には、ＬＥＤリング２７が設けられ、互いに４５度離れて等間隔に４対のＬＥＤ２７ｗ、２７ｂが位置している。一対のＬＥＤは、白色ＬＥＤ２７ｗと電球色ＬＥＤ２７ｂからなっている。このＬＥＤ２７ｗ、２７ｂは、仕切り板４５の下面から露出しており、ショルダー部２５越しに、ポット１７の内部を照らすような位置と角度に設けられている。
【００４５】
使用時において、両軸モーター２９の回転に伴い散水部品３３ｂが回転し、それによってポット１７の内部の水も回転する。その水面の揺らぎと共にミスト状に撹拌された水の微粒子の動きが、ＬＥＤ２７ｗ、２７ｂの光によって、ポット１７直下の設置面に投影される。従って、ポット１７の下の設置面が十分視認される程度に、ポット１７の下端が設置面よりも、高くなっていることが重要である。
【００４６】
このような構成により、本実施例による水洗式空気清浄機は、ポットの底面によって本体ケースが支持される従来の水洗式空気清浄機に比較して、イルミネーションの効果に優れ、インテリアとしてより魅力的なものとなっている。
【００４７】
この実施例では、支持台１１の脚部１３は、図３に示されているように、スチールパイプを側面視でコの字状となるように折り曲げて作成される。しかし、ポット１７の底部を床から離隔した位置にあるように支持する構造であれば、同様に魅力的なインテリアとしての特徴を備える。例えば、コの字状脚部の代わりに、多くの椅子や机のような４本脚で支えるような構造としても良い（図１０参照）。
【００４８】
すなわち、このような水洗式空気清浄機は、上部に開口を有し内部に水を蓄えることの可能な光透過性のあるポットと、前記ポットの開口と係合可能な本体ケースと、前記ポットの底部を床から離隔した位置にあるように、前記ポットを支持する支持部材と、前記ポットに適量の水が入った状態で前記本体ケースと前記ポットが係合した場合に、前記ポット内の水を前記ポット内において散水可能な散水機構と、前記ポットに適量の水が入った状態で前記本体ケースと前記ポットが係合した場合に、前記ポットの内部に外部から空気を導入し、前記ポットの内部で前記水に接触した空気を外部に排出する吸排気機構と、前記ポットの内部を照らす照明装置とを備えたことを特徴とする。
【００４９】
図１１は、本実施例による水洗式空気清浄機の電気系統を示す回路図である。ここでは、水洗式空気清浄機の空気洗浄動作の開始・停止に加えて、ＬＥＤ２７ｗ、２７ｂの点灯・消灯、更に、一定時間（例えば、２４時間）で電源を切るタイマー機能が実装されている。ポット１７内の水は、屋内の空気の洗浄に伴い汚れてくると共に、蒸発して減量してしまう。常時運転している場合は、タイマーで電源が切れた際に、水の入れ替えを行うと定期的なメンテナンスを忘れることが無い。
【００５０】
すなわち、本実施例による水洗式空気清浄機の制御を行う回路は、図１０に示した様に、交流商用電源６１からの交流電力の電圧を１００Ｖから２４Ｖに変換するトランス６３と、２４Ｖの交流電力を両軸モーター２９へ供給するモータ駆動制御回路６５と、この２４Ｖの交流電力を整流する整流回路６７と、この整流回路６７からＬＥＤ２７ｗ、２７ｂへの直流電流の供給を制御するＬＥＤ用電力制御部６９と、スイッチ３７ａおよびスイッチ３７ｂの操作に応じてモータ駆動制御回路６５やＬＥＤ用電力制御部６９の動作を制御するタイマー・スイッチ制御回路７１を備えている。トランス６３は、外部アダプタとして設けても良いし、本体に内蔵しても良い。
【００５１】
タイマー・スイッチ制御回路７１は、タイマー回路を内蔵しており、一定時間、例えば２４時間が経過すると、自動的にモータ駆動制御回路６５を制御して、両軸モーター２９への電力供給を停止する。手動での場合には、スイッチ３７ａを押す毎に動作と停止が切り替わる。なお、モータ駆動制御回路６５は、タイマー・スイッチ制御回路７１からの制御信号で動作するリレー回路からなっている。
【００５２】
ＬＥＤ２７ｗ、２７ｂは、互いに対をなす４つの白色ＬＥＤ２７ｗと４つの電球色ＬＥＤ２７ｂとからなっている。ＬＥＤ用電力制御部６９は２チャンネルのスイッチであり、タイマー・スイッチ制御回路７１からの制御信号で、白色ＬＥＤ２７ｗのみ点灯（Ｃｏｏｌ）→電球色ＬＥＤ２７ｂのみ点灯（Ｗａｒｍ）→共に消灯→白色ＬＥＤ２７ｗのみ点灯・・・、と巡回してスイッチングが行われる。
【００５３】
以上、本発明を実施形態により詳細に説明したが、当業者にとっては、本発明が本願中に説明した実施形態に限定されるものではないということは明らかである。本発明は、特許請求の範囲の記載により定まる本発明の趣旨及び範囲を逸脱することなく修正及び変更態様として実施することができる。従って、本願の記載は、例示説明を目的とするものであり、本発明に対して何ら制限的な意味を有するものではない。
【００５４】
例えば、実施例では、支持台１１の脚部１３は、側面視でコの字状となるように成形したスチールパイプからなっている。しかし、ポット１７からの光を極力妨げず、ポット１７の下の設置面におけるイルミネーションの効果をより高める為に、透明の強化プラスチックで脚部を形成してもよい。その場合は、その形状は径方向に沿った平たいもとのするとより効果的である。
【００５５】
また、散水部品３３ｂを断面多角形とすると共にその表面を鏡面としても良い。具体的には、鏡面仕上げされた金属や、鏡面塗装された樹脂に、耐水性コーティングを施して形成する。このような散水部品を用いれば、ＬＥＤ２７の光が散水部品３３ｂの表面で反射するので、横向きの散乱光が得られ、より変化の富んだイルミネーションとなる。
【００５６】
更に、本体ケース１５内部に空気洗浄液のビンを収納するホルダーが設けることも考えられる。この収納ホルダーには、外蓋の取り外した空気洗浄液のビンを逆さまに取り付ける。空気洗浄液のビンには小さな穴の空いた内蓋があるので、逆さまにしただけでは空気洗浄液が流れだすことはない。この場合、収納ホルダーの外側には、空気洗浄液に直接接触してビンを圧迫することのできるボタンが設けられている。このボタンを押すことで、適宜、空気洗浄液を絞り出すことができる。ビンからでた空気洗浄液は、収納ホルダーの下部に設けられたパイプを通って、両軸モーター２９の下軸２９ｄ近傍に設けた洗浄液供給孔からポット１７内部の水に落ちる。下軸２９ｄの近傍は、動作中には圧力が下がっているので、容易にポット１７内部へ導かれる。
【００５７】
更に、ポット１７の外側にはめ込む交換可能な透明な半球状ジャケットを利用しても良い。この半球状ジャケットには、ラインアート等が印刷されたフィルムであり、イルミネーションに変化をもたらすことが出来る。人気キャラクターのマークや地球の地図をラインで描いたジャケットとしても楽しみが膨らむ。
【産業上の利用可能性】
【００５８】
以上のように、本発明による水洗式空気清浄機は、フィルター方式の空気清浄機とも、従来の水洗式空気清浄機とも異なる構造を持ち、それによりコンパクトで且つ脱臭および空気清浄の効果が改善され、新たな需要に応えることが出来る。
【符号の説明】
【００５９】
１    水洗式空気清浄機
１１    支持台
１３    脚部
１５    本体ケース
１５ｄ    吸気口
１５ｕ    吸気口
１６    カバー
１６ｈ    フック
１６ｓ    ネジ
１７    ポット
１９    開口部
１９ｆ  切欠き
２１    開口部
２３    円筒部
２５    ショルダー部
２６    フランジ部
２７ｗ    白色ＬＥＤ
２７ｂ    電球色ＬＥＤ
２９    両軸モーター
２９ｄ    下軸
２９ｕ    上軸
３１    ブロワファン
３３    散水撹拌ユニット
３３ａ    撹拌部品
３３ｂ    散水部品
３３ｃ    出水孔
３３ｄ    吸水孔
３３ｆ    フィン
３３ｒ    リッジ
３５    回路ボックス
３７    スイッチ回路基板
３７ａ    モータ制御スイッチ
３７ｂ    ＬＥＤ制御スイッチ
３９    吸気側ダクト
４１    吐出側ダクト
４３    筐体
４５    仕切り板
４７    スリット
４９、５１    開口部
５３    係合部
６１    交流商用電源
６３    トランス
６５    モータ駆動制御回路
６７    整流回路
６９    ＬＥＤ用電力制御部
７１    スイッチ制御回路
【図１】
2011019646.tif 000003
【図２】
2011019646.tif 000004
【図３】
2011019646.tif 000005
【図４】
2011019646.tif 000006
【図５】
2011019646.tif 000007
【図６】
2011019646.tif 000008
【図７】
2011019646.tif 000009
【図８】
2011019646.tif 000010
【図９】
2011019646.tif 000011
【図１０】
2011019646.tif 000012
【図１１】
2011019646.tif 000013